(57)【要約】本発明は、互いに異なる大きさの第1単位セルと第2単位セルが分離膜を介してフォールディングされて製作される電極組立体で、前記第1単位セルと前記第2単位セルを互いに整列させるため前記第2単位セルの位置を補正する電極組立体用蛇行補正装置であって、前記電極組立体が配置される本体; 前記本体の一側に備えられ、前記電極組立体の一側面を加圧して前記電極組立体を前記本体の他側に移動させる移動ジグ部; 及び前記本体の他側に備えられ、前記移動ジグ部により移動された電極組立体の他側面を支持して前記第2単位セルの位置を補正する補正ジグ部を含む。【選択図】図3
2015531156.tif 000002
【特許請求の範囲】
【請求項１】
互いに異なる大きさの第1単位セルと第2単位セルが分離膜を介してフォールディングされて製作される電極組立体で、前記第1単位セルと前記第2単位セルを互いに整列させるために前記第2単位セルの位置を補正する電極組立体用蛇行補正装置であって、
前記電極組立体が配置される本体;
前記本体の一側に備えられ、前記電極組立体の一側面を加圧して前記電極組立体を前記本体の他側に移動させる移動ジグ部; 及び
前記本体の他側に備えられ、前記移動ジグ部により移動された電極組立体の他側面を支持して前記第2単位セルの位置を補正する補正ジグ部を含むことを特徴とする電極組立体用蛇行補正装置。
【請求項２】
前記補正ジグ部は、前記第2単位セルの他側面を支持する第1補正ジグと、前記第1補正ジグに積層され、前記第1補正ジグが前記第2単位セルの他側面を支持する間、前記第1単位セルの他側面を支持する第2補正ジグとを含むことを特徴とする、請求項1記載の電極組立体用蛇行補正装置。
【請求項３】
前記補正ジグ部は、前記第1補正ジグと前記第2補正ジグを連続的に貫通した後、前記本体に結合される固定ボルトをさらに含むことを特徴とする、請求項2記載の電極組立体用蛇行補正装置。
【請求項４】
前記第1補正ジグと前記第2補正ジグのうち、上側に位置した補正ジグは上面に前記電極組立体に向かう方向へ長く長ホールが形成され、前記固定ボルトは前記長ホールを貫通することを特徴とする、請求項3記載の電極組立体用蛇行補正装置。
【請求項５】
互いに異なる大きさを有するn個の単位セルが分離膜を介してフォールディングされて製作される電極組立体で、前記n個の単位セルを整列させる電極組立体用蛇行補正装置であって、
前記電極組立体が配置される本体;
前記本体の一側に備えられ、前記電極組立体の一側面を加圧して前記電極組立体を前記本体の他側へ移動させる移動ジグ部; 及び
前記本体の他側に備えられ、前記移動ジグ部により移動された電極組立体の他側面を支持して前記単位セルの位置を補正する補正ジグ部を含むことを特徴とする電極組立体用蛇行補正装置。
【請求項６】
前記補正ジグ部は、前記移動ジグ部により移動された電極組立体のn個の単位セルの他側面をそれぞれ支持するn個の補正ジグを含むことを特徴とする、請求項5記載の電極組立体用蛇行補正装置。
【請求項７】
前記補正ジグ部は、前記n個の補正ジグを連続的に貫通した後に、前記本体に結合される固定ボルトをさらに含むことを特徴とする、請求項6記載の電極組立体用蛇行補正装置。
【請求項８】
前記n個の補正ジグのうち少なくともいずれか一つは、上面に前記電極組立体に向かう方向へ長く長ホールが形成され、前記固定ボルトは前記長ホールを貫通することを特徴とする、請求項7記載の電極組立体用蛇行補正装置。
【請求項９】
前記移動ジグ部は、前記本体の一側から他側へスライディング移動可能に固定されることを特徴とする、請求項1または5記載の電極組立体用蛇行補正装置。
【請求項１０】
前記移動ジグ部の両側部には、前記電極組立体の両側部をそれぞれ支持する係止片がさらに備えられることを特徴とする、請求項1または5記載の電極組立体用蛇行補正装置。
【請求項１１】
前記補正ジグ部を加熱して前記補正ジグ部と当接している分離膜を、前記補正ジグ部を介して間接的に加熱する加熱部をさらに含むことを特徴とする、請求項1または5記載の電極組立体用蛇行補正装置。
【請求項１２】
前記加熱部は、前記補正ジグ部に備えられる誘導コイルと、前記誘導コイルに電流を印加して発熱させるジェネレーターとを含むことを特徴とする、請求項11記載の電極組立体用蛇行補正装置。
【請求項１３】
前記加熱部は、前記補正ジグ部を120℃〜170℃で加熱することを特徴とする、請求項11記載の電極組立体用蛇行補正装置。
【請求項１４】
前記本体の上部には、前記移動ジグ部により移動する電極組立体の上面を支持するプレスジグ部がさらに備えられることを特徴とする、請求項1または5記載の電極組立体用蛇行補正装置。
【請求項１５】
前記プレスジグ部は、前記本体の上部に上下に移動可能に備えられる昇降片と、前記昇降片を上昇又は下降させる油圧装置を含むことを特徴とする、請求項14記載の電極組立体用蛇行補正装置。
【請求項１６】
前記第1及び第2補正ジグの相互対応する対応面には、前記第2補正ジグを前記電極組立体に向かう方向へ前進、又は反対方向へ後進させるガイド手段がさらに含まれることを特徴とする、請求項2記載の電極組立体用蛇行補正装置。
【請求項１７】
前記ガイド手段は、前記第1補正ジグの上面に前記電極組立体に向かう方向へ形成されるガイド溝と、前記第2補正ジグの底面に形成されて前記ガイド溝に沿ってスライディング移動するガイド突起とを含むことを特徴とする、請求項16記載の電極組立体用蛇行補正装置。
【請求項１８】
前記n個の補正ジグのうち互いに対向する2個の補正ジグの相互対応する対応面には、いずれか一つの補正ジグを前記電極組立体に向かう方向へ前進、又は反対方向へ後進させるガイド手段がさらに含まれることを特徴とする、請求項6記載の電極組立体用蛇行補正装置。
【請求項１９】
前記ガイド手段は、前記2個の補正ジグのうちいずれか一つの上面に前記電極組立体に向かう方向に形成されるガイド溝と、他の一つの底面に形成され、前記ガイド溝に沿ってスライディング移動するガイド突起とを含むことを特徴とする、請求項18記載の電極組立体用蛇行補正装置。
【発明の詳細な説明】
【技術分野】
【０００１】
本発明は、電極組立体用蛇行補正装置に関し、より詳しくはスタック／フォールディング型電極組立体で多段に積層された第1単位セルと第2単位セルを同一方向に向かうように整列させると共に固定する、電極組立体用蛇行補正装置に関する。
【背景技術】
【０００２】
一般に、二次電池は化石燃料を用いる既存のガソリン車両、ディーゼル車両などの大気汚染などを解決するための方案として提示されている電池自動車(EV)、ハイブリッド電池自動車(HEV)、並列型ハイブリッド電池自動車(PHEV) などの動力源としても注目されている。
【０００３】
このような二次電池は、自動車などのような中大型デバイスには高出力、大容量の必要性により、多数の単位セルを連結した中大型電極組立体が用いられており、最近は電子機器に使用可能な小型の二次電池が開発されて適用されている。
【０００４】
ここで、二次電池用電極組立体には、一つ以上の負極、分離膜、正極を順に積層して巻き取ったゼリーロール型電極組立体と、負極、分離膜、正極が順に積層された単位セルを長いフィルム形態の分離膜に配置した後、単一方向に巻き取ったスタック(stack)＆フォールディング(folding)型電極組立体と、負極、分離膜、正極が順に積層された単位セルを長いフィルム形態の分離膜に配置した後、ジグザグ方向に巻き取ったスタック＆フォールディング型電極組立体とがある。
【０００５】
前記電極組立体のうちスタック／フォールディング型電極組立体は、本出願人の韓国特許出願公開第2001-0082058号、第2001-0082059号及び第2001-0082060号に詳しく開示されている。
【０００６】
一方、従来の技術に係るスタック／フォールディング型電極組立体は、図1に示したところのように、小型化される製品に内蔵することができるように多段(Stepped)に製作されている。
【０００７】
すなわち、従来の技術に係るスタック／フォールディング型電極組立体は図2に示したところのように、互いに異なる大きさを有した第1単位セル10と第2単位セル20を長いフィルム形態の分離膜30に配置した後、単一方向に巻き取って製作する。
【０００８】
しかし、従来の技術に係るスタック／フォールディング型電極組立体で図2を参照すれば、最下段に配置された第2単位セル20は長いフィルム形態の分離膜30の終端に配置された状態で巻き取られ、よって第2単位セル20の一段は固定される傍ら他段は固定され得ないことで、流動現象により蛇行が発生する問題があった。
【発明の概要】
【発明が解決しようとする課題】
【０００９】
前述の問題点を解決するための本発明が達成しようとする技術的課題は、多段に積層された第1単位セルと第2単位セルを整列させて蛇行を補正する電極組立体用蛇行補正装置を提供することにある。
【００１０】
前述の技術的課題を達成するための手段として、本発明の第1実施例は互いに異なる大きさの第1単位セルと第2単位セルが分離膜を介してフォールディングされて製作される電極組立体で、前記第1単位セルと前記第2単位セルを互いに整列させるため前記第2単位セルの位置を補正する電極組立体用蛇行補正装置であって、前記電極組立体が配置される本体; 前記本体の一側に備えられ、前記電極組立体の一側面を加圧して前記電極組立体を前記本体の他側へ移動させる移動ジグ部; 及び前記本体の他側に備えられ、前記移動ジグ部により移動された電極組立体の他側面を支持して前記第2単位セルの位置を補正する補正ジグ部を含む。
【００１１】
前記補正ジグ部は、前記第2単位セルの他側面を支持する第1補正ジグと、前記第1補正ジグに積層され、前記第1補正ジグが前記第2単位セルの他側面を支持する間、前記第1単位セルの他側面を支持する第2補正ジグとを含むことができる。
【００１２】
前記補正ジグ部は、前記第1補正ジグと前記第2補正ジグを連続的に貫通した後、前記本体に結合される固定ボルトをさらに含むことができる。
【００１３】
前記第1補正ジグと前記第2補正ジグのうち上側に位置した補正ジグは、上面に前記電極組立体に向かう方向に長く長ホールが形成され、前記固定ボルトは前記長ホールを貫通することができる。
【００１４】
一方、本願発明の第2実施例は、互いに異なる大きさを有するn個の単位セルが分離膜を介してフォールディングされて製作される電極組立体で、前記n個の単位セルを整列させる電極組立体用蛇行補正装置であって、前記電極組立体が配置される本体; 前記本体の一側に備えられ、前記電極組立体の一側面を加圧して前記電極組立体を前記本体の他側へ移動させる移動ジグ部; 及び前記本体の他側に備えられ、前記移動ジグ部により移動された電極組立体の他側面を支持して前記単位セルの位置を補正する補正ジグ部を含むことができる。
【００１５】
前記補正ジグ部は、前記移動ジグ部により移動された電極組立体のn個の単位セルの他側面をそれぞれ支持するn個の補正ジグを含むことができる。
【００１６】
前記補正ジグ部は、前記n個の補正ジグを連続的に貫通した後、前記本体に結合される固定ボルトをさらに含むことができる。
【００１７】
前記n個の補正ジグのうち少なくともいずれか一つは、上面に前記電極組立体に向かう方向へ長く長ホールが形成され、前記固定ボルトは前記長ホールを貫通することができる。
【００１８】
前記移動ジグ部は、前記本体の一側から他側へスライディング移動可能に固定され得る。
【００１９】
前記移動ジグ部の両側部には、前記電極組立体の両側部をそれぞれ支持する係止片がさらに備えられ得る。
【００２０】
前記補正ジグ部を加熱して前記補正ジグ部と当接している分離膜を、前記補正ジグ部を介して間接的に加熱する加熱部をさらに含むことができる。
【００２１】
前記加熱部は、前記補正ジグ部に備えられる誘導コイルと、前記誘導コイルに電流を印加して発熱させるジェネレーターとを含むことができる。
【００２２】
前記加熱部は、前記補正ジグ部を120℃〜170℃で加熱することができる。
【００２３】
前記本体の上部には、前記移動ジグ部により移動する電極組立体の上面を支持するプレスジグ部がさらに備えられ得る。
【００２４】
前記プレスジグ部は、前記本体の上部に上下に移動可能に備えられる昇降片と、前記昇降片を上昇又は下降させる油圧装置を含むことができる。
【００２５】
前記第1及び第2補正ジグの相互対応する対応面には、前記第2補正ジグを前記電極組立体に向かう方向へ前進、又は反対方向へ後進させるガイド手段がさらに含まれ得る。
【００２６】
前記ガイド手段は、前記第1補正ジグの上面に前記電極組立体に向かう方向に形成されるガイド溝と、前記第2補正ジグの底面に形成され前記ガイド溝に沿ってスライディング移動するガイド突起とを含むことができる。
【００２７】
前記n個の補正ジグのうち、互いに対向する2個の補正ジグの相互対応する対応面には、いずれか一つの補正ジグを前記電極組立体に向かう方向へ前進、又は反対方向へ後進させるガイド手段がさらに含まれ得る。
【００２８】
前記ガイド手段は、前記2個の補正ジグのうちいずれか一つの上面に前記電極組立体に向かう方向に形成されるガイド溝と、他の一つの底面に形成されて前記ガイド溝に沿ってスライディング移動するガイド突起とを含むことができる。
【発明の効果】
【００２９】
本発明によれば、蛇行補正装置を利用して多段に積層された単位セルなどを互いに整列されるように蛇行を補正すると共に固定し、よって製品不良の発生を防止する効果がある。
【図面の簡単な説明】
【００３０】
【図１】従来の技術に係るスタック／フォールディング型電極組立体を示した斜視図である。
【図２】従来の技術に係るスタック／フォールディング型電極組立体を示した断面図である。
【図３】本発明の第1実施例に係る電極組立体用蛇行補正装置を示した断面図である。
【図４】本発明の第1実施例に係る電極組立体用蛇行補正装置を示した斜視図である。
【図５】本発明の第1実施例に係る電極組立体用蛇行補正装置を示した平面図である。
【図６】本発明の第1実施例に係る電極組立体用蛇行補正方法を示した図である。
【図７】本発明の第1実施例に係る電極組立体用蛇行補正方法を示した図である。
【図８】本発明の第1実施例に係る電極組立体用蛇行補正方法を示した図である。
【図９】本発明の第1実施例に係る電極組立体用蛇行補正装置で補正ジグ部を示した斜視図である。
【図１０】本発明の第2実施例に係る電極組立体用蛇行補正装置を示した断面図である。
【発明を実施するための形態】
【００３１】
本発明に係る電極組立体用蛇行補正装置は、多段に積層された単位セルなどをそれぞれ支持して整列させ、よって電極組立体の蛇行を補正して不良の発生を防止する構成を有した技術である。
【００３２】
以下、図を参照して本発明の属する技術分野で通常の知識を有した者が容易に実施できるように、本発明の実施例を詳しく説明する。しかし、本発明は、多様な相違する形態に具現可能であり、ここで説明する実施例に限られない。また、図で本発明を明らかに説明するため、説明と関係ない部分は省略し、明細書全体を通して類似の部分に対しては類似の図面符号を付けた。
【００３３】
［本発明の第1実施例に係る電極組立体用蛇行補正装置］
一方、電極組立体100は図3を参照すれば、互いに異なる大きさを有した第1単位セル110と第2単位セル120、及び第1及び第2単位セル110、120が配置された後、単一方向に巻き取られる長いフィルム形態の分離膜130を含む。
【００３４】
一例として、第1単位セル110、第1単位セル110、第2単位セル120、第1単位セル110及び第2単位セル120の順に長いフィルム形態の分離膜130に配置した後、最初の第1単位セル110が配置された分離膜130の一端から他端まで巻き取る。
【００３５】
そうすると、第1単位セル110は第1単位セル110どうし、第2単位セル120は第2単位セル12どうし上下に分離積層されながら、多段(stepped) 構造を有する電極組立体100が製作される。
【００３６】
ここで、図3を参照すれば、最下段に配置された第2単位セル120は長いフィルム形態の分離膜130の他端に配置された状態で巻き取られるが、この時、分離膜130の他端は固定されていないので、外部衝撃及び摩擦により第2単位セル120が左または右に流動されながら蛇行が発生する問題がある。
【００３７】
このような問題を解決するため、多段に分離積層された第1単位セル110と第2単位セル120を加圧して蛇行を補正する蛇行補正装置200が備えられる。
【００３８】
本発明の第1実施例に係る電極組立体用蛇行補正装置200は、図3から図5に示したところのように、電極組立体100で第1単位セル110と第2単位セル120を互いに整列させるため第2単位セル120の位置を補正するものであって、電極組立体100が配置される本体210、本体210の一側に備えられ電極組立体100の一側面を加圧して電極組立体100を本体210の他側へ移動させる移動ジグ部220、本体210の他側に備えられ、移動ジグ部220により移動された電極組立体100の他側面を支持して第2単位セル120の位置を補正する補正ジグ部230を含む。
【００３９】
本体210は、電極組立体100が配置されるように上面が偏平な平板で設けられ、上面の一側には移動ジグ部220が設けられ、上面の他側には補正ジグ部230が設けられる。
【００４０】
ここで、電極組立体100は、本体210の上面に最外角に配置された第1単位セル110と第2単位セル120との間の分離膜130が補正ジグ部230に向かうように配置する。
【００４１】
一方、本体210の上面の一側には他側方向へ延長されるガイド溝211が形成され、ガイド溝211に移動ジグ部220がスライディング移動可能に結合される。
【００４２】
また、本体210の上面の他側には、補正ジグ部230の設置位置を表示する段差部、文字及び線(図示省略) のうち一つが備えられ得、ここに補正ジグ部230を正確な位置に設けることができる。
【００４３】
移動ジグ部220は、ガイド溝110にスライディング移動可能に挿入されるガイド片221と、ガイド片221の上部に備えられ、本体210の幅方向に配置されて電極組立体100の一側面を支持する支持片222を含む。
【００４４】
すなわち、移動ジグ部220は、支持片222を本体210の他側へ押すと、支持片222と共に電極組立体100が本体210の他側へ移動し、この際、ガイド片221がガイド溝110に沿ってスライディング移動するに伴い電極組立体100を直線に移動させることができる。
【００４５】
ここで、移動ジグ部220のガイド片221は、ガイド溝110から分離可能に備えられ得、ここに電極組立体100の長さ又は高さに従い多様な大きさの移動ジグ部をガイド溝110に挿入して用いることができる。
【００４６】
一方、支持片222の両側部には、電極組立体100方向に延長されて電極組立体100の側部を支持する係止片223が備えられ得、係止片223を介して電極組立体100の離脱を防止する。
【００４７】
補正ジグ部230は、第2単位セル120の他側面を支持する第1補正ジグ231と、第1補正ジグ231に積層され第1補正ジグ231が第2単位セル120の他側面を支持する間、第1単位セル110の他側面を支持する第2補正ジグ232を備え、第1補正ジグ231と第2補正ジグ232を連続的に貫通した後、本体210に結合される固定ボルト233により固定される。
【００４８】
すなわち、補正ジグ部230は、大きさが互いに異なる第1補正ジグ231と第2補正ジグ232を積層した後、固定ボルト233を介して本体210に固定する。
【００４９】
一方、図3でみた時、最上段に配置された補正ジグである第2補正ジグ232の上面には電極組立体100に向かう方向へ長く長ホール232aが形成され、長ホール232aに固定ボルト223が貫通することになる。
【００５０】
すなわち、固定ボルト233を締め切らない状態で第2補正ジグ232を長ホール232a範囲で前後に移動させることができ、ここに第1及び第2単位セル110、120の間隔に合うように第2補正ジグ232の位置を調節して第1及び第2補正ジグ231、232の間隔を調節する。
【００５１】
このような補正ジグ部230は、第1補正ジグ231と第2補正ジグ232に第2及び第1単位セル120、110が同時に支持され、この際、蛇行のある第2単位セル120が第1補正ジグ232に面密着しながら位置が補正され、第1単位セル110と第2単位セル120を整列させることができる。
【００５２】
一方、蛇行補正装置200は、補正ジグ部230を加熱して補正ジグ部230が支持される第1及び第2単位セル110、120にフォールディングされた分離膜130を間接的に加熱する加熱部240をさらに含むことができる。
【００５３】
加熱部240は、補正ジグ部230に備えられる誘導コイル241と、誘導コイル241に電流を印加して発熱させるジェネレーター242を含む。
【００５４】
ここで加熱部240は、補正ジグ部230を120℃〜170℃で加熱するのが好ましい。すなわち、加熱部240は、補正ジグ部230を120℃以下で加熱する場合、分離膜130が堅固に凝固され得ない問題があり、補正ジグ部230を170℃以上で加熱する場合、分離膜130が毀損される問題がある。
【００５５】
すなわち、第1補正ジグ231により最下段に配置された第2単位セル120と第1単位セル110との間の分離膜130まで第2単位セル120に支持されるように加圧され(図8参照)、この際、加熱部240により加熱された第1補正ジグ231が分離膜130を間接的に加熱することによって分離膜130にコーティングされた接着力を有したコーティング物質が溶融されながら、第2単位セル120に巻き取られた分離膜130と接着され、よって最外角に配置された第2単位セル120を流動されないように固定し、蛇行の発生を防止する。
【００５６】
一方、蛇行補正装置200の本体210上部には、移動ジグ部220により移動する電極組立体100の上面を支持するプレスジグ部250をさらに含むことができる。
【００５７】
プレスジグ250は、本体210の上部に上下に移動可能に備えられる昇降片251と、昇降片251を上昇又は下降させる油圧装置252を含む。
【００５８】
すなわち、プレスジグ250は、電極組立体100が補正ジグ部230に支持されると共に上部へ持ち上げられないように支持し、ここに電極組立体100が補正ジグ部230に安定的に支持されるように誘導する。
【００５９】
このような構成を有する電極組立体用蛇行補正装置を介した蛇行補正方法を説明すれば次の通りである。
【００６０】
先ず、図6に示したところのように、加熱部240を介して補正ジグ部230を設定された温度で加熱した後、蛇行を補正する電極組立体100の高さまでプレスジグ250の油圧装置252を利用して昇降片251を下降させる。
【００６１】
その後、図7に示したところのように、移動ジグ部220と補正ジグ部230との間の本体210の上面に電極組立体100を配置する。その後、移動ジグ部220を補正ジグ部230の方向へ移動させると、移動ジグ部220が電極組立体100の一側面を加圧しながら電極組立体100も共に移動することになる。
【００６２】
このように移動支持部220により電極組立体100が移動しながら、図7に示したところのように、補正ジグ部230に支持されるが、この際、第1及び第2単位セル110、120が第2及び第1補正ジグ232、231に共に支持されながら、第2単位セル120の角度を補正し、ここに第1及び第2単位セル110、120を互いに整列させて蛇行を補正する。
【００６３】
これと共に、第1及び第2単位セル110、120をフォールディングした分離膜130を補正ジグ部230が間接的に加熱し、ここに分離膜130にコーティングされた接着力を有したコーティング物質が溶融されながら、第1単位セル110にフォールディングされた分離膜130に接着され、第2単位セル120を固定する。
【００６４】
以下、本発明に係る電極組立体用蛇行補正装置の他の実施例を説明するにおいて、前述の実施例と同一の構成と機能を有する構成に対しては同一の構成符号を用い、重複される説明は省略する。
【００６５】
本実施例に係る電極組立体用蛇行補正装置は、図9に示したところのように、第1及び第2補正ジグ231’、232’の相互対応する対応面には第2補正ジグ232’を電極組立体100の方向へ前進、又は反対方向へ後進させるガイド手段260がさらに含まれ得る。
【００６６】
すなわち、ガイド手段260は第1補正ジグ231’の上面に電極組立体100の方向へ長く形成されるガイド溝261と、第2補正ジグ232’の底面に形成されガイド溝261に沿ってスライディング移動するガイド突起262とを含む。
【００６７】
よって、ガイド手段260は、第2補正ジグ232’を直線に水平移動させることができ、それゆえ第2補正ジグ232’に角度変化が発生することを防止する。
【００６８】
一方、本実施例では第1及び第2単位セルからなる2段構造の電極組立体において、単位セルの位置を補正する場合を説明したが、これと同様に3段以上の電極組立体において単位セルの位置を補正することもできる。
【００６９】
以下、本発明に係る他の実施例を説明するにおいて、前述の第1実施例と同一の構成と機能を有する構成に対しては同一の構成符号を用い、重複される説明は省略する。
【００７０】
[本発明の第2実施例に係る電極組立体用蛇行補正装置]
一方、電極組立体は互いに異なる大きさを有するn個の単位セルが分離膜シートを介してフォールディングされて製作される。
【００７１】
例えば、電極組立体100’は、図10に示したところのように、互いに異なる大きさを有する第1、第2及び第3単位セル110’、120’、140を分離膜130’を介してフォールディングされて形成される(参考に、それぞれの単位セルは互いに同一の大きさを有する複数個のセルが積層されて形成されることもある。)。
【００７２】
このようにn個の単位セルが分離膜シートを介してフォールディングされた電極組立体100’は、電極組立体用蛇行補正装置200により蛇行を補正して不良の発生を防止する。
【００７３】
すなわち、本発明の第2実施例に係る電極組立体用蛇行補正装置200は、互いに異なる大きさを有するn個の単位セルが積層された電極組立体100’でn個の単位セルを整列させるためのものであって、電極組立体100’が配置される本体210、本体210の一側に備えられ、電極組立体100の一側面を加圧して電極組立体100を本体210の他側へ移動させる移動ジグ部220、及び本体210の他側に備えられ、移動ジグ部220により移動された電極組立体100’の他側面を支持して単位セルの位置を補正する補正ジグ部230’を含む。
【００７４】
一方、本体210及び移動ジグ部220は、前述の第1実施例の本体210及び移動ジグ部220と同一の構成と機能を有するので、ここでは詳しい説明を略する。
【００７５】
ここで、補正ジグ部230’は、移動ジグ部220により移動された電極組立体100のn個の単位セルの他側面をそれぞれ支持するn個の補正ジグを含む。
【００７６】
また、補正ジグ部230’は、前記n個の補正ジグを連続的に貫通した後、本体210に結合される固定ボルトをさらに含む。
【００７７】
ここで、3段構造を有する補正ジグ部230’を一つの実施例で説明する。
【００７８】
3段構造を有する補正ジグ部230’は、図10に示したところのように、第3単位セル140の他側面を支持する第3補正ジグ234、第3補正ジグ234に積層され第2単位セル120’の他側面を支持する第1補正ジグ231’と、第1補正ジグ231’に積層され第1単位セル110’の他側面を支持する第2補正ジグ232’を備え、第3補正ジグ234、第1補正ジグ231’及び第2補正ジグ232’は連続的に貫通した後、本体210に結合される固定ボルト233’により固定される。
【００７９】
すなわち、3段構造を有する補正ジグ部230’は、第3補正ジグ234、第1補正ジグ231’及び第2補正ジグ232’が第3単位セル140、第2単位セル120’及び第1単位セル110’の他側面に同時に支持されながら蛇行を補正する。
【００８０】
一方、n個の補正ジグのうち少なくともいずれか一つは、上面に電極組立体100に向かう方向へ長く長ホール232a’が形成され、固定ボルト233’は長ホール232a’を貫通する。
【００８１】
すなわち、長ホール232a’が形成された補正ジグは、電極組立体100に向かう方向へ移動させることができ、ここにn個の単位セルの幅に合うように調節が可能である。
【００８２】
したがって、本発明の第2実施例に係る電極組立体用蛇行補正装置200は、n個の単位セルが積層された電極組立体100の蛇行を簡単に補正することができる。
【００８３】
本発明の範囲は、前記詳細な説明よりは後述の特許請求の範囲により表され、特許請求の範囲の意味及び範囲、そしてその均等概念から導き出される全ての変更又は変形された形態が本発明の範囲に含まれるものとして解釈されなければならない。
【図１】
2015531156.tif 000003
【図２】
2015531156.tif 000004
【図３】
2015531156.tif 000005
【図４】
2015531156.tif 000006
【図５】
2015531156.tif 000007
【図６】
2015531156.tif 000008
【図７】
2015531156.tif 000009
【図８】
2015531156.tif 000010
【図９】
2015531156.tif 000011
【図１０】
2015531156.tif 000012
【国際調査報告】
2015531156.tif 000013
2015531156.tif 000014
2015531156.tif 000015
2015531156.tif 000016